(57)【要約】【課題】二つの流路の両方について一回の操作で水抜きができ、凍結を防止できるように地中に適切に埋設することができる二流路間接続用の不凍水抜栓を提供する。【解決手段】コマ弁部３１及び排水弁部３２を備えて軸方向に変位されることで、水抜通路１５の開閉を行う軸動弁体３０と、操作部５０に接続され、軸動弁体３０を軸方向に所要の範囲で変位可能に保持すると共に、軸中心部から外部へ連通する排水孔２５を上側に備える弁体保持軸動部材２０と、一方の連通接続部１１及び他方の連通接続部１２を備え、内部に両方の連通接続部１１、１２を上下方向に開口して連通させる連通孔１３を備えると共に、連通孔１３の上側に軸方向に開口し、弁体保持軸動部材２０の軸方向への変位をシールして案内するスリーブ部１４を備えるバルブ本体１０と、弁体保持軸動部材２０とコマ弁部３１との間に配された付勢部材４０とを具備する。【選択図】図１
2019100064.tif 000002
【特許請求の範囲】
【請求項１】
二つの流路間に接続されて該二つの流路の両方について水抜きを行う二流路間接続用の不凍水抜栓であって、
下側に設けられたコマ弁部及び上側に設けられた排水弁部を備えて軸方向に変位されることで、水抜通路の開閉を行う軸動弁体と、
軸方向の往復動操作を行うことができる操作部に接続され、前記軸動弁体を軸方向に所要の範囲で変位可能に保持すると共に、軸中心部から外部へ連通する排水孔を上側に備える弁体保持軸動部材と、
一方の側部に設けられた一方の連通接続部及び他方の側部に設けられた他方の連通接続部を備え、内部に一方の連通接続部と他方の連通接続部とを上下方向に開口して連通させる連通孔を備えると共に、該連通孔の上側に軸方向に開口し、前記弁体保持軸動部材の軸方向への変位をシールして案内するスリーブ部を備えるバルブ本体と、
前記弁体保持軸動部材と前記軸動弁体との間に配された付勢部材とを具備し、
前記弁体保持軸動部材が、前記操作部によって軸方向の下方へ変位された際には、前記軸動弁体を下方へ押圧して前記コマ弁部が前記連通孔を閉じると共に、前記排水弁部が前記弁体保持軸動部材に対して前記付勢部材の付勢力に抗して相対的に上方へ変位されて前記排水孔を閉じ、前記弁体保持軸動部材が、前記操作部によって軸方向の上方へ変位された際には、水抜きがなされるように前記コマ弁部が前記連通孔を開くと共に、前記排水弁部が前記弁体保持軸動部材に対して前記付勢部材の付勢力によって相対的に下方へ変位されて前記排水孔を開くように配されていることを特徴とする二流路間接続用の不凍水抜栓。
【請求項２】
二つの流路が給湯器と浴槽の間に接続された追焚配管の往き配管と戻り配管であることを特徴とする請求項１記載の二流路間接続用の不凍水抜栓。
【請求項３】
前記操作部が、前記弁体保持軸動部材に連結されるロットと、該ロットに対して軸心を中心に回転可能且つ軸方向に一体的に往復動されるように該ロットの上側に連結されたスピンドルと、該スピンドルの上側に装着されたハンドルとを備えることを特徴とする請求項１又は２記載の二流路間接続用の不凍水抜栓。
【発明の詳細な説明】
【技術分野】
【０００１】
本発明は、二つの流路間に接続されて該二つの流路の両方について水抜きを行う二流路間接続用の不凍水抜栓に関する。
【背景技術】
【０００２】
水やお湯の配管に用いられる従来の不凍水抜栓２００は、例えば図５に示すような浴槽にお湯を循環させて供給する給湯設備において、給湯器と浴槽の間に接続された二つの流路である追焚配管の往き配管と戻り配管のそれぞれに別々に接続されて配置されている。すなわち、この従来の追焚配管の往き配管と戻り配管においては、二回の操作によって、その給湯設備にかかる水抜き作業を行っている。
【０００３】
これに対しては、弁箱の側壁に湯水の流入口を上下段違いに２個設け、弁箱内のシリンダに密着するピストンの環状パッキンを、ピストンを移動させてシリンダから離脱させることにより、弁箱下端にもうけた排出口から湯水をともに排出させるようにしたものであり、逆止弁体を両流入口内に収容し、両逆止弁体の前後に、上流側逆止弁座と下流側逆止弁座をもうけて２重逆止弁を構成し、排水時には逆止弁体を下流側逆止弁座から離脱させ、止水時には下流側逆止弁座に密着し得るように、ピストンの上側環状パッキンと中間部環状パッキン、中間部環状パッキンと下側環状パッキン間のそれぞれに細径部をもうけてなる（特許文献１参照）湯水排出弁が、提案されている。
【０００４】
この従来の湯水排出弁によれば、給水管と給湯管内の湯水を一回の操作で排出できる。但し、この湯水排出弁は、地中に埋設されることを想定されておらず、その湯水排出弁からの排水は、排水口を通ってホッパーで受けられて排水管により下水等へ導かれることになっている。
【先行技術文献】
【特許文献】
【０００５】
【特許文献１】特開平１０−１４０６２７号公報（第１頁）
【発明の概要】
【発明が解決しようとする課題】
【０００６】
二流路間接続用の不凍水抜栓に関して解決しようとする課題は、二つの流路の両方について一回の操作で水抜きができ、地中に埋設されることで凍結を防止できる合理的な形態が提案されていないことにある。
【０００７】
そこで、本発明の目的は、二つの流路の両方について一回の操作で水抜きができ、凍結を防止できるように地中に適切に埋設することができる二流路間接続用の不凍水抜栓を提供することにある。
【課題を解決するための手段】
【０００８】
本発明は上記目的を達成するために次の構成を備える。
本発明にかかる二流路間接続用の不凍水抜栓の一形態によれば、二つの流路間に接続されて該二つの流路の両方について水抜きを行う二流路間接続用の不凍水抜栓であって、下側に設けられたコマ弁部及び上側に設けられた排水弁部を備えて軸方向に変位されることで、水抜通路の開閉を行う軸動弁体と、軸方向の往復動操作を行うことができる操作部に接続され、前記軸動弁体を軸方向に所要の範囲で変位可能に保持すると共に、軸中心部から外部へ連通する排水孔を上側に備える弁体保持軸動部材と、一方の側部に設けられた一方の連通接続部及び他方の側部に設けられた他方の連通接続部を備え、内部に一方の連通接続部と他方の連通接続部とを上下方向に開口して連通させる連通孔を備えると共に、該連通孔の上側に軸方向に開口し、前記弁体保持軸動部材の軸方向への変位をシールして案内するスリーブ部を備えるバルブ本体と、前記弁体保持軸動部材と前記軸動弁部との間に配された付勢部材とを具備し、前記弁体保持軸動部材が、前記操作部によって軸方向の下方へ変位された際には、前記軸動弁体を下方へ押圧して前記コマ弁部が前記連通孔を閉じると共に、前記排水弁部が前記弁体保持軸動部材に対して前記付勢部材の付勢力に抗して相対的に上方へ変位されて前記排水孔を閉じ、前記弁体保持軸動部材が、前記操作部によって軸方向の上方へ変位された際には、水抜きがなされるように前記コマ弁部が前記連通孔を開くと共に、前記排水弁部が前記弁体保持軸動部材に対して前記付勢部材の付勢力によって相対的に下方へ変位されて前記排水孔を開くように配されている。
【０００９】
また、本発明にかかる二流路間接続用の不凍水抜栓の一形態によれば、二つの流路が給湯器と浴槽の間に接続された追焚配管の往き配管と戻り配管であることを特徴とすることができる。
【００１０】
また、本発明にかかる二流路間接続用の不凍水抜栓の一形態によれば、前記操作部が、前記弁体保持軸動部材に連結されるロットと、該ロットに対して軸心を中心に回転可能且つ軸方向に一体的に往復動されるように該ロットの上側に連結されたスピンドルと、該スピンドルの上側に装着されたハンドルとを備えることを特徴とすることができる。
【発明の効果】
【００１１】
本発明にかかる二流路間接続用の不凍水抜栓によれば、二つの流路の両方について、一回の操作で水抜きができ、凍結を防止できるように地中に適切に埋設することができるという特別有利な効果を奏する。
【図面の簡単な説明】
【００１２】
【図１】本発明にかかる二流路間接続用の不凍水抜栓の形態例であって通常時の止水がなされている状態を示す断面図である。
【図２】図１の形態例の通常時の止水がなされている状態を示す要部断面図である。
【図３】図１の形態例の水抜き時の状態を示す要部断面図である。
【図４】本発明にかかる二流路間接続用の不凍水抜栓が使用される配管例を示すブロック図である。
【図５】従来の循環式の給湯システムの配管例を示すブロック図である。
【発明を実施するための形態】
【００１３】
以下、本発明にかかる二流路間接続用の不凍水抜栓の形態例を添付図面（図１〜３）に基づいて詳細に説明する。この二流路間接続用の不凍水抜栓は、二つの流路間に接続されて該二つの流路の両方について水抜きを行うことができる水抜栓になっている。
【００１４】
３０は軸動弁体であり、下側に設けられたコマ弁部３１及び上側に設けられた排水弁部３２を備えて軸方向に変位されることで、水抜通路１５の開閉を行う構成になっている。本形態例の軸動弁体３０では、図２に示すように、コマ弁部３１の基部を形成するコマ３１ａの軸螺子孔３１ｂの上側に、排水弁部３２の基部を形成する弁体基部３２ａの下部雄螺子部３２ｂが螺合することで、そのコマ弁部３１と排水弁部３２とが一体となった形態に設けられている。コマ弁部３１は、その下側に下面がシール面となるコマパッキン３１ｃが固定されて構成されており、排水弁部３２は、その上側に上面がシール面となるパッキン部３２ｃが固定されて構成されている。また、コマパッキン３１ｃはボルト３１ｄによって下側へ離脱しないように押えられた状態に固定されている。
【００１５】
２０は弁体保持軸動部材であり、軸方向の往復動操作を行うことができる操作部５０に接続され、軸動弁体３０を軸方向に所要の範囲で変位可能に保持すると共に、軸中心部から外部へ連通する排水孔２５を上側に備える。本形態例の弁体保持軸動部材２０では、上側部材２１と下側部材２２とが螺合することによって一体に形成され、その上側部材２１が、その上端部で操作部５０の構成要素であるロット５１の下端部（雄螺子部５１ａ）に螺合して軸線を合せて一体に接続・固定されている。
【００１６】
また、本形態例では、図２に示すように、弁体保持軸動部材２０の中途部（下側部材２２の上側）の外周部に周溝が形成されており、その周溝にＯリングパッキン２６が嵌っている。そして、その下側部材２２の上側の内周部が、小径の上下貫通孔状の絞り軸孔部２３になっていることで、その絞り軸孔部２３の上側のヘッド収納部２４に収納された排水弁部３２のヘッド部３２ｄの上下変位が規制され、軸動弁体３０（排水弁部３２及びコマ弁部３１）を軸方向に所要の範囲で変位可能に保持する構成になっている。
【００１７】
すなわち、絞り軸孔部２３の内径よりも、排水弁部３２のヘッド部３２ｄの外径が大きく形成されており、その排水弁部３２のヘッド部３２ｄと軸部３２ｅとの段部３２ｆが絞り軸孔部２３を形成する孔縁部の上面に当接することによって、軸動弁体３０（排水弁部３２及びコマ弁部３１）を軸方向の下方への移動が規制される形態になっている。また、排水孔２５を形成する孔縁部の下面（ヘッド収納部２４の内部下面）が、パッキン部３２ｃの上面が当接することによって、シールがなされると共に、軸動弁体３０（排水弁部３２及びコマ弁部３１）を軸方向の上方への移動が規制される形態になっている。
【００１８】
なお、排水弁部３２の軸部３２ｅが、絞り軸孔部２３に遊嵌状態に挿通されていると共に、排水弁部３２のヘッド部３２ｄが、ヘッド収納部２４に遊嵌状態に収納されており、絞り軸孔部２３とヘッド収納部２４のどちらも排水が流通できる形態になっている。
【００１９】
さらに、本形態例では、排水孔２５が弁体保持軸動部材２０の上側部材２１における中途部で軸中心部から外部へ連通するように設けられ、その上下に連通する部位の排水孔２５を形成する孔縁部の下面が、排水弁部３２のパッキン部３２ｃが当接するシール面となって、弁座を形成する面になっていると共に、その排水孔２５を形成する孔縁部の上面が、球弁４１が納まって逆止弁の効果を奏するための弁座を構成するように、凹面状に形成されている。
【００２０】
また、本形態例では、水抜通路１５が、以下の構成を備えることで設けられている。すなわち、図２に示すように、弁体保持軸動部材２０の下側（下側部材２２の下側）の周壁に貫通された下側周壁貫通孔１５ａと、弁体保持軸動部材２０の下端側（先端側）にコマ弁部３１の上側が上下動可能に挿入された状態に位置されるように開口された下側開口１５ｂと、排水弁部３２の軸部３２ｅの中心軸に沿って上下に連通するように弁体基部３２ａに穿設されて設けられた上下連通孔１５ｃ及び前述した絞り軸孔部２３と、前述したヘッド収納部２４と、前述した排水孔２５と、弁体保持軸動部材２０の上端（上側部材２１の上端）にロット５１の下端部（雄螺子部５１ａ）が螺合されるように開口された上側開口１５ｄと、弁体保持軸動部材２０の上側（上側部材２１の上側）の周壁に貫通された上側周壁貫通孔１５ｅと、後述するバルブ本体１０のスリーブ部１４より上側に形成された周壁（上部周壁１７）に貫通された上部周壁貫通孔１５ｆとが連通できるように設けられていることで、水抜通路１５が構成されている。
【００２１】
１０はバルブ本体であり、一方の側部に設けられた一方の連通接続部１１及び他方の側部に設けられた他方の連通接続部１２を備え、内部に一方の連通接続部１１と他方の連通接続部１２とを上下方向（軸方向）に開口して連通させる連通孔１３を備えると共に、その連通孔１３の上側に軸方向に開口し、弁体保持軸動部材２０の軸方向への変位をシールして案内するスリーブ部１４を備える。
【００２２】
本形態例のバルブ本体１０では、図２に示すように、一方の連通接続部１１の流路と他方の連通接続部１２の流路とを隔離する隔壁部１６の水平部分に、両者を連通する連通孔１３が上下方向に開口して設けられ、その連通孔１３を形成する孔縁の上側が、コマ弁部３１のコマパッキン３１ｃが当接する弁座のシール面１３ａになっている。なお、本形態例では、一方の連通接続部１１の流路が連通孔１３へ下側から連通するように設けられ、他方の連通接続部１２の流路が連通孔１３へ上側から連通するように設けられている。
【００２３】
また、このバルブ本体１０のスリーブ部１４の上側には、そのスリーブ部１４よりも径が一回り大きな上部周壁１７が連続して形成されており、前述した上部周壁貫通孔１５ｆが設けられ、さらにその上側に、外筒１９が接続・固定される雌螺子部１７ａと、砂止めカバー１８が装着される外周溝部１７ｂとが設けられている。これにより、水抜きによる排水が、上部周壁貫通孔１５ｆを通過して、砂止めカバー１８の内側を通って外部へ排出されるようになっている。
【００２４】
４０は付勢部材であり、弁体保持軸動部材２０と軸動弁体３０との間に配されている。本形態例の付勢部材４０は、コイルスプリングによって設けられており、弁体保持軸動部材２０の内部（下側開口１５ｂ）で下面になっている部分と、コマ３１ａの上面になっている部分の間に配置されている。なお、この付勢部材４０の配置は、弁体保持軸動部材２０と軸動弁体３０との間に、その軸動弁体３０を下方へ付勢するように弾装・配置されていればよく、本実施例に限定されるものではなく、また、付勢部材４０はスプリングコイルに限定されず、他の弾性部材を適宜利用できるのは勿論である。
【００２５】
また、本発明では、弁体保持軸動部材２０が、図１及び図２に示すように操作部５０によって軸方向の下方へ変位された際には、軸動弁体３０を下方へ押圧してコマ弁部３１が連通孔１３を閉じると共に、排水弁部３２が弁体保持軸動部材２０に対して付勢部材４０の付勢力に抗して相対的に上方へ変位されて排水孔２５を閉じ、弁体保持軸動部材２０が、図３に示すように操作部５０によって軸方向の上方へ変位された際には、水抜きがなされるようにコマ弁部３１が連通孔１３を開くと共に、排水弁部３２が弁体保持軸動部材２０に対して付勢部材４０の付勢力によって相対的に下方へ変位されて排水孔２５を開くように配されている。
【００２６】
この本発明にかかる二流路間接続用の不凍水抜栓１００によれば、二つの流路の両方について、図４に示すように一つを接続すれば良く、一回の操作で水抜きができ、凍結を防止できるように地中に適切に埋設することができるという特別有利な効果を奏する。
【００２７】
本形態例は、例えば、二つの流路が、図４に示すような給湯器６０と浴槽６１の間に接続された追焚配管の往き配管６２と戻り配管６３である給湯設備に適用することができる。なお、本形態例では、一方の連通接続部１１が戻り配管６３に接続され、他方の連通接続部１２が往き配管６２に接続される構成となっているが、反対に接続することも許容される。
【００２８】
これによれば、浴槽にお湯を循環させて供給する給湯設備において、給湯器と浴槽の間に接続された二つの流路である追焚配管の往き配管と戻り配管の両方に接続されて配置されているため、一つの水抜栓となるため、設置コストを低減できると共に、一回の操作によって、その給湯設備にかかる水抜き作業を行うことができるため作業性を向上できる。
【００２９】
また、本形態例では、操作部５０が、弁体保持軸動部材２０に連結されるロット５１と、そのロット５１に対して軸心を中心に回転可能且つ軸方向に一体的に往復動されるようにそのロットの上側に連結されたスピンドル５２と、そのスピンドル５２の上側に装着されたハンドル５３とを備える。これによれば、操作部５０を、シンプル且つ適切に構成できる。なお、ロット５１の雄螺子部５１ａには、ナット５４が螺合されており、弁体保持軸動部材２０との螺合による接続にかかる緩み止めになっている。
【００３０】
また、本発明にかかる操作部５０の動作機構は、本形態例のようなスピンドル５２によるネジ込み式の上下動作機構に限定されるものではなく、上下方向に変位・移動させて保持することができる動作機構であれば、周知の動作機構を適宜選択的に採用できることは勿論であり、例えば、レバー機構による上下動作機構、スラストロック機構による上下動作機構、またはフック機構による保持を利用した上下動作機構を採用できる。
【００３１】
また、本発明につき好適な形態例を挙げて種々説明してきたが、本発明は以上の形態例に限定されるものではなく、発明の精神を逸脱しない範囲内で多くの改変を施し得るのは勿論のことである。
【符号の説明】
【００３２】
１０  バルブ本体
１１  一方の連通接続部
１２  他方の連通接続部
１３  連通孔
１３ａ  シール面
１４  スリーブ部
１５  水抜通路
１５ａ  下側周壁貫通孔
１５ｂ  下側開口
１５ｃ  上下連通孔
１５ｄ  上側開口
１５ｅ  上側周壁貫通孔
１５ｆ  上部周壁貫通孔
１６  隔壁部
１７  上部周壁
１７ａ  雌螺子部
１７ｂ  外周溝部
１８  砂止めカバー
１９  外筒
２０  弁体保持軸動部材
２１  上側部材
２２  下側部材
２３  絞り軸孔部
２４  ヘッド収納部
２５  排水孔
２６  Ｏリングパッキン
３０  軸動弁体
３１  コマ弁部
３１ａ  コマ
３１ｂ  軸螺子孔
３１ｃ  コマパッキン
３１ｄ  ボルト
３２  排水弁部
３２ａ  弁体基部
３２ｂ  下部雄螺子部
３２ｃ  パッキン部
３２ｄ  ヘッド部
３２ｅ  軸部
３２ｆ  段部
４０  付勢部材
４１  球弁
５０  操作部
５１  ロット
５１ａ  雄螺子部
５２  スピンドル
５３  ハンドル
５４  ナット
６０  給湯器
６１  浴槽
６２  往き配管
６３  戻り配管
１００  二流路間接続用の不凍水抜栓
【図１】
2019100064.tif 000003
【図２】
2019100064.tif 000004
【図３】
2019100064.tif 000005
【図４】
2019100064.tif 000006
【図５】
2019100064.tif 000007